(57)【特許請求の範囲】
【請求項１】
軸筒の内部に収容された筆記体の前方移動により該軸筒の前方に配した蓋体が筆記体の先端に押圧されて開き、筆記体が後方移動して軸筒の内部に収容されたときに蓋体に付設したバネの弾発力で該蓋体を閉じて軸筒を閉塞する構造の開閉蓋付の筆記具において、軸筒の前方部に中空パイプを配し、前記中空パイプの前方部に傾斜前端面と該中空パイプの貫通孔に連設する開口部とを有する弾性先首を配し、前記弾性先首の前方に該弾性先首の傾斜前端面に密接する蓋体を配し、前記蓋体に設けた係止受部に係止する第一アームと中空パイプの側面に当接する第二アームとを備えた捻りコイルバネのコイル部を該蓋体の下端に形成した一対の巻返部の間に配し、前記中空パイプの側面に形成した取付孔に装着した軸棒を前記捻りコイルバネのコイル部と前記蓋体の巻返部に挿通して固定し、筆記体が軸筒の内部に収容されたときに捻りコイルバネの弾発力により蓋体を弾性先首の傾斜前端面に密接させ軸筒を閉塞する構造を特徴とした開閉蓋付の筆記具。
【発明の詳細な説明】
【技術分野】
【０００１】
本発明は、軸筒の内部に筆記体を収容し、軸筒の前方を蓋体により閉塞する構造の開閉蓋付の筆記具に関する。
【背景技術】
【０００２】
従来より軸筒の前方に蓋体を設け、軸筒の内部に収容した筆記体の乾燥防止や埃の侵入を防止する構造の筆記具は知られている。これらは、軸筒の後端部に設けたノック体のノック操作により、筆記体の先端で蓋体を押圧して開き、軸筒から筆記体の先端を突出させて筆記できる状態にする構造が多く採用されている。この様な構造が記載されたものとしては、実公昭４２−８３号公報、実公昭４５−１５５３２号公報、特開昭５８−８９３９９号公報がある。
【０００３】
【特許文献１】実公昭４２−８３号
【特許文献２】実公昭４５−１５５３２号
【特許文献３】特開昭５８−８９３９９号
【発明の開示】
【発明が解決しようとする課題】
【０００４】
しかしながら、前記実公昭４２−８３号公報記載の筆記具は、蓋板と弾性脚部とを一体で形成することから、製造時において寸法管理を厳密に行わなければならない。理由は、蓋板及び弾性脚部に横方向や捻れ方向に対する遊びが無いことや、蓋板が当接する弾発性材料の環状体が薄いリング状で高さが低く撓み難いため、蓋板と環状体との間に隙間が生じやすいからである。また、実公昭４５−１５５３２号公報記載の筆記具は、蓋が閉じる部分に弾性部材を設けない構造であるため、蓋の密閉性には不利である。また、軸筒の先端部の開閉蓋の脱落防止のために、開閉蓋とバネとを取り付けた後に軸筒の前端部にプレート状の部材を固着する作業が必要である。また、特開昭５８−８９３９９号公報記載の筆記具は、蓋板を係止するための蓋受カバーをパイプ状のホルダーの前方に固着する必要があり、固着方法として一般的に用いられるスポット溶接や接着等の作業は、コスト高を招く傾向にある。また蓋板を弾発して閉じるためのコイルスプリングは、蓋板の外側面と蓋受カバーの内側面とをコイルスプリング自体が弾発することによってずれないようにしてあるので、衝撃等の外力がかかった場合には、その弾発力によりコイルスプリングが勢いよく飛び出してしまうという心配があった。
【０００５】
本発明はこうした事実に鑑み、蓋を閉じるためのバネが衝撃等で外れてしまうことがなく、蓋を閉じたときの密閉性に優れ、構造を簡略化することによりコストの低減化を図ることができる構造の開閉蓋付の筆記具を提案することを目的とする。
【課題を解決するための手段】
【０００６】
本発明の上記課題は以下の手段により解決される。すなわち、本発明は、
「軸筒の内部に収容された筆記体の前方移動により該軸筒の前方に配した蓋体が筆記体の先端に押圧されて開き、筆記体が後方移動して軸筒の内部に収容されたときに蓋体に付設したバネの弾発力で該蓋体を閉じて軸筒を閉塞する構造の開閉蓋付の筆記具において、軸筒の前方部に中空パイプを配し、前記中空パイプの前方部に傾斜前端面と該中空パイプの貫通孔に連設する開口部とを有する弾性先首を配し、前記弾性先首の前方に該弾性先首の傾斜前端面に密接する蓋体を配し、前記蓋体に設けた係止受部に係止する第一アームと中空パイプの側面に当接する第二アームとを備えた捻りコイルバネのコイル部を該蓋体の下端に形成した一対の巻返部の間に配し、前記中空パイプの側面に形成した取付孔に装着した軸棒を前記捻りコイルバネのコイル部と前記蓋体の巻返部に挿通して固定し、筆記体が軸筒の内部に収容されたときに捻りコイルバネの弾発力により蓋体を弾性先首の傾斜前端面に密接させ軸筒を閉塞する構造を特徴とした開閉蓋付の筆記具」である。
【発明の効果】
【０００７】
本発明の開閉蓋付の筆記具によれば、簡単な構造で筆記具に開閉蓋を設けることができる。また、開閉蓋構造の組立の際に接着や溶接等の恒久的な固着構造を必要としないので、組立後の検査等の際に不良が発見された場合においても、その分解、組み直しが容易であり、不良部品の交換を行いやすいものである。また、蓋を閉じるための捻りコイルバネは、第一アームを蓋体に設けた係止受部に係止し、中空パイプへ取り付けた軸棒をコイル部に挿通する構造なので、衝撃等で捻りコイルバネが外れてしまうことはない。また、本発明の開閉蓋構造は、中空パイプを主体としたユニットで構成されるため、そのユニットを複数のアイテムで兼用することが可能であり、他の製品を含めた製造コストの低減化を相乗的に図ることが可能である。
【０００８】
中空パイプは、狭い軸筒内部に配設することを考慮して、肉厚が薄くても強度的に優れる金属パイプを使用することが好ましい。弾性先首は、筆記具として使用されるインキによる影響を考慮して、ＮＢＲ（アクロニトリルブタジエン）やフッ素ゴムやＥＰＤＭ（エチレンプロプレンゴム）等の耐インキ性に優れた弾性材料を適宜選択すればよい。蓋体は、筆記体の筆記先端部により繰返し押圧されることや小さなスペースに配置することを鑑みると、薄い金属板を折曲げて成形することが好ましい。軸棒は、蓋体の繰返しの回転運動を軸支することを鑑みると金属材を用いることが好ましい。尚、軸棒の外側面に溝を刻設し弾性先首に突起を形成して双方を係合させることにより、組立時において中空パイプに取り付けた軸棒が軸心に沿った方向へずれることを防止でき、組立時の作業性が良くなる。捻りコイルバネは、繰返しのバネ運動に優れる金属で形成することが好ましい。また捻りコイルバネの第一アームに設ける係止部は、前記蓋体に形成した係止受部に係止できる形状とすればよい。例えば蓋体の先端に舌片状に折返した係止受部を設け、第一アームには前記舌片に引っ掛かる係止部を折曲げて形成し、第一アームの係止部を蓋体の係止受部に引っ掛けて係止する構造としたり、あるいは蓋体に係止受孔を設け、第一アームの先端を前記係止受孔に挿通して係止する構造としてもよい。尚、蓋体の係止受部および捻りコイルバネの第一アームは、筆記先端の前進移動を妨げない形状および位置関係に設定することが肝要である。また、捻りコイルバネの第二アームは、捻りコイルバネのコイル部を軸棒で固定した際に、第二アームの一部が中空パイプの外側面に当接する長さとすればよい。尚、本発明の開閉蓋構造に使用する金属材はインキによる影響を考慮して耐インキ性に優れたステンレス材を用いることが好ましい。
【発明を実施するための最良の形態】
【０００９】
本発明を理解し易くするために図を用いて説明を行なう。本実施の形態例の筆記具は、ペン先を筆記体の先端に備えた開閉蓋付の万年筆である。尚、本実施の形態例では、ペン先がある方を前方と表現し反対側を後方と表現する。図１は本実施の形態例の万年筆の縦断面図である。万年筆１は前軸２と後軸３とを螺合してなる軸筒本体４の前方部４ａに中空パイプ５を配してある。また、中空パイプ５の前方部には弾性先首６を装着してあり、弾性先首６の傾斜前端面６ａを捻りコイルバネ７の弾発力により蓋体８で閉塞してある。弾性先首６の開口部６ｂと中空パイプ５の貫通孔５ａとは連設しており、軸筒本体４の後端開口部４ｂより突出したノック体１０を押圧操作することにより、筆記体９のペン先９ａが蓋体８を押圧して開放し、軸筒本体４の前方部４ａに固設した口金１１の開口部１１ａからペン先９ａが突出して筆記可能状態になる構造としてある。尚、筆記体９はバネ１２の弾性力で常に後方へ押されている。
【００１０】  図２は中空パイプの図で、図２Ａは側方から図２Ｂは上方から図２Ｃは図２のＡ−Ａ線端面図である。また、図３は弾性先首の図で、図３Ａは前方から図３Ｂは側方から図３Ｃは上方から見た図である。図２に示すように中空パイプ５は、前方の上面に長方形の係合孔５ｂを穿孔し、両側面に丸い取付孔５ｃを穿孔し、下面には切欠５ｄを設けた貫通孔５ａを有する円筒形状である。また、図３に示すように、弾性先首６は前方部に図３Ｂにおいて図中上方から下方へ向かって傾斜する傾斜前端面６ａと前後方向を貫通する開口部６ｂとを有し、後方部には前記中空パイプ５の前端に圧入する圧入部６ｃを設けてあり、前記係合孔５ｂと係合する係合突部６ｄを圧入部６ｃの前方の上面に設けてある。また、傾斜前端面６ａの下には段部６ｅを形成してあり、段部６ｅには側面に沿ってＬ形に突出するＬ形突部６ｆを設けてある。Ｌ形突部６ｆの前面には前方へ小さく突出する突起６ｇを設けてある。【００１１】
次に本実施例における要部の構造について詳述する。図４は本実施の形態例の要部断面図である。図５は図４を前方より見た図である。図６は図４のＢ−Ｂ線断面拡大図である。弾性先首６は中空パイプ５の内部に圧入部６ｃを圧入してある。また、弾性先首６の段部６ｅのＬ形突部６ｆには、捻りコイルバネ７のコイル部７ａと、蓋体８の下端に並列して形成した一対の巻返部８ａとを乗せ掛けるように配置してある。尚、中空パイプ５の両側面に設けた取付孔５ｃには、コイル部７ａと巻返部８ａとを挿通して固定する軸棒１３を取り付けてある。また、捻りコイルバネ７のコイル部７ａの前方へは第一アーム７ｂを延出してある。第一アーム７ｂは、軸棒１３に並行するように折曲げた係止部７ｃを有し、蓋体８の前端を折曲げて形成した係止受部８ｂの隙間８ｃに係止させている。係止部７ｃは先端を折曲げて抜止部７ｄを形成し蓋体８の係止受部８ｂから抜けないようにしてある。また、コイル部７ａの後方に延出した第二アーム７ｅは、中空パイプ５の外側面にバネの弾発力により当接させ固定してある。尚、図７は捻りコイルバネの図で、図７Ａは前方から図７Ｂは側方から見た図である。また、図８は蓋体の図で、図８Ａは前方から図８Ｂは側方から見た図である。
【００１２】
尚、本実施の形態例では、軸棒１３の外周に溝部１３ａを形成してあり、軸棒１３を取付孔５ｃへ挿通する際には、弾性先首６に形成した突起６ｇは軸棒１３に押されて弾性変形し、軸棒１３の溝部１３ａの位置にある時には突起６ｇが復元して軸棒１３の抜け止めになる。尚、本実施の形態例の中空パイプ５と弾性先首６との関係は、前述の通り、弾性先首６の係合突部６ｄが中空パイプ５の係合孔５ｃに係合されることや、中空パイプ５に取り付けた軸棒１３により弾性先首６が抜けないようになることから、中空パイプ５に対する弾性先首６の圧入力を低く設定することができ、圧入による弾性先首６の変形量を少ないものとし、弾性先首６と蓋体８との密接具合に悪影響を与えない構造となっている。
【００１３】
次に蓋体が開く際の構造を図９を用いて詳述する。図９はノック体の操作を行ってペン先を突出させた状態の図である。軸筒本体４の後部にあるノック体１０（図１参照）を前方へ押圧することにより、筆記体９のペン先９ａは前方移動して蓋体８の裏面に当接し、蓋体８が軸棒１３を軸心にして前方へ回動して開き、ペン先９ａを口金１１の開口部１１ａから突出させ筆記可能状態になる。尚、ペン先９ａが開口部１１ａから突出した状態では、蓋体８はペン先９ａの下面に当接するので閉じない。再度ノック体１０をノック操作することにより、ペン先９ａは口金１１の開口部１１ａに引っ込み弾性先首６の開口部６ａ内に没入し、捻りコイルバネ７の弾発力により蓋体８が弾性先首６の傾斜前端面６ａに密接して軸筒を閉塞する。
【産業上の利用可能性】
【００１４】
本発明の開閉蓋付の筆記具は、万年筆以外にもマーカーやボールペンあるいは修正液や化粧具等の塗布具にも利用することが可能である。
【図面の簡単な説明】
【００１５】
【図１】本実施の形態例の万年筆の縦断面図である。
【図２】中空パイプの図で、図２Ａは側方から図２Ｂは上方から図２Ｃは図２ＡのＡ−Ａ線端面図である。
【図３】弾性先首の図で、図３Ａは前方から図３Ｂは側方から図３Ｃは上方から見た図である。
【図４】本実施の形態例の要部断面図である。
【図５】図４を前方より見た図である。
【図６】図４のＢ−Ｂ線断面拡大図である。
【図７】捻りコイルバネの図で、図７Ａは前方から図７Ｂは側方から見た図である。
【図８】蓋体の図で、図８Ａは前方から図８Ｂは側方から見た図である。
【図９】ノック体の操作を行ってペン先を突出させた状態の図である。
【符号の説明】
【００１６】
１…万年筆、２…前軸、３…後軸、４…軸筒本体、４ａ…前方部、４ｂ…後端開口部、
５…中空パイプ、５ａ…貫通孔、５ｂ…係合孔、５ｃ…取付孔、５ｄ…切欠、
６…弾性先首、６ａ…傾斜前端面、６ｂ…開口部、６ｃ…圧入部、
６ｄ…係合突部、６ｅ…段部、６ｆ…Ｌ形突部、６ｇ…突起、
７…捻りコイルバネ、７ａ…コイル部、７ｂ…第一アーム、７ｃ…係止部、
７ｄ…抜止部、７ｅ…第二アーム、
８…蓋体、８ａ…巻返部、８ｂ…係止受部、８ｃ…隙間、
９…筆記体、９ａ…ペン先、
１０…ノック体、１１…口金、１１ａ…開口部、１２…バネ、
１３…軸棒、１３ａ…溝部。
【図１】
0004688615.tif 000002
【図２】
0004688615.tif 000003
【図３】
0004688615.tif 000004
【図４】
0004688615.tif 000005
【図５】
0004688615.tif 000006
【図６】
0004688615.tif 000007
【図７】
0004688615.tif 000008
【図８】
0004688615.tif 000009
【図９】
0004688615.tif 000010